(57)【要約】【課題】一方の操作者が取り扱うべき貨幣を誤って他方の操作者が取り扱うことを確実に防止することが可能な貨幣処理装置および貨幣処理システムを提供する。【解決手段】貨幣入出金機（貨幣処理装置）は、取引処理時に貨幣を投入または取出すためにテラーによってアクセスされる貨幣収容部（紙幣入金口１５、紙幣出金口１４等）と、貨幣収容部を発光させる発光部（ＬＥＤ素子４１２、４３２等）と、取引処理が何れのテラーに占有されているかに応じて発光部の発光状態を切り替える制御部と、を備える。【選択図】図５
2018156329.tif 000002
【特許請求の範囲】
【請求項１】
複数の操作者の間に配置され、各操作者の配備位置からそれぞれ貨幣の入出金等の取引処理を行うことが可能な貨幣処理装置において、
前記複数の操作者によってアクセスされる共通の貨幣収容部と、
前記貨幣収容部およびその周辺部の少なくとも一方を発光させる発光部と、
前記取引処理が何れの操作者に占有されているかに応じて前記発光部の発光状態を切り替える制御部と、を備える、
ことを特徴とする貨幣処理装置。
【請求項２】
前記発光部は、複数の色を発光可能に構成され、
前記制御部は、前記取引処理が何れの操作者に占有されているかに応じて前記発光部の発光色を切り替える、
請求項１に記載の貨幣処理装置。
【請求項３】
前記制御部は、前記取引処理が何れの操作者に占有されているかに応じて前記発光部の発光周期を切り替える、
請求項１または２に記載の貨幣処理装置。
【請求項４】
前記貨幣収容部は、出金処理時に搬出された貨幣を取り出すための貨幣出金部である、
請求項１ないし３の何れか一項に記載の貨幣処理装置。
【請求項５】
前記貨幣出金部は、出金処理時の貨幣の収容とともに、入金処理時におけるリジェクト貨幣の収容に共用され、
前記制御部は、前記貨幣出金部に対する前記発光部の発光状態を、さらに、貨幣の出金時とリジェクト時とにおいて切り替える、
請求項４に記載の貨幣処理装置。
【請求項６】
前記貨幣出金部は、装置本体に対して引き出し可能に構成され、
前記制御部は、前記貨幣出金部が装着位置から引き出し方向に外れた状態にある場合、前記貨幣出金部に対する前記発光部の発光状態を、さらに、出金処理時と異なる状態に切り替える、
請求項４または５に記載の貨幣処理装置。
【請求項７】
取引処理時に生じた異物を返却するための返却部と、
前記返却部に前記異物が収容されたことを検出するための検出部と、をさらに備え、
前記発光部は、さらに、前記返却部およびその周辺部の少なくとも一方を発光させるよう構成され、
前記制御部は、前記検出部により前記異物が検出された場合に、前記返却部に対する発光を前記発光部に行わせるとともに、前記取引処理が何れの操作者に占有されているかに応じて、前記返却部に対する発光状態を切り替える、
請求項１ないし６の何れか一項に記載の貨幣処理装置。
【請求項８】
複数の上位端末と、各上位端末からの指示に基づいて貨幣の入出金等の取引処理を行う貨幣処理装置を含む貨幣処理システムにおいて、
前記貨幣処理装置は、
貨幣収容部と、
前記貨幣収容部およびその周辺部の少なくとも一方を発光させる発光部と、
前記取引処理が何れの前記上位端末からの指示であるかに応じて前記発光部の発光状態を切り替える制御部と、を備える、
ことを特徴とする貨幣処理システム。
【発明の詳細な説明】
【技術分野】
【０００１】
本発明は、貨幣の入出金等を行う貨幣処理装置および貨幣処理システムに関する。
【背景技術】
【０００２】
銀行等の金融機関で用いられる貨幣処理装置の一つとして、窓口カウンタで業務を行う２人のテラーの間に設置され、左右何れのテラーからも使用が可能な循環式紙幣入出金機が、たとえば、特許文献１に記載されている。
【０００３】
特許文献１に記載された紙幣入出金機では、出金占有ランプ、入金占有ランプおよびリジェクトランプの組が、紙幣入出金機上面の右端と左端にそれぞれ配置されている。そして、これらのランプのうち、出金処理、入金処理またはリジェクト処理を占有するテラー側のランプが点灯される。これらのランプを参照することにより、各テラーは、何れの処理が何れのテラーによって占有されているかを把握できる。
【先行技術文献】
【特許文献】
【０００４】
【特許文献１】特開平０８−０４４９３０号公報
【発明の概要】
【発明が解決しようとする課題】
【０００５】
しかしながら、各テラーが並行して取引処理を実行する場合、各テラーは、出金占有ランプ、入金占有ランプおよびリジェクトランプを参照することなく、入金口または出金口にアクセスして、貨幣の投入または取出しを行うことが起こり得る。このような場合、一方のテラーが取り扱うべき貨幣を、誤って、他方のテラーが取り扱うことが生じてしまう。
【０００６】
かかる課題に鑑み、本発明は、一方の操作者が取り扱うべき貨幣を誤って他方の操作者が取り扱うことを確実に防止することが可能な貨幣処理装置および貨幣処理システムを提供することを目的とする。
【課題を解決するための手段】
【０００７】
本発明の第１の態様は、複数の操作者の間に配置され、各操作者の配備位置からそれぞれ貨幣の入出金等の取引処理を行うことが可能な貨幣処理装置に関する。本態様に係る貨幣処理装置は、前記複数の操作者によってアクセスされる共通の貨幣収容部と、前記貨幣収容部およびその周辺部の少なくとも一方を発光させる発光部と、前記取引処理が何れの操作者に占有されているかに応じて前記発光部の発光状態を切り替える制御部と、を備える。
【０００８】
本態様に係る貨幣処理装置によれば、貨幣収容部およびその周辺部の少なくとも一方が、何れの操作者によって処理が占有されている状態にあるかを示す発光状態で発光される。このため、操作者は、貨幣収容部に対してアクセスする際に、必ず、この発光を見ることとなり、その発光状態によって、何れの操作者が取引処理を占有している状態にあるかを、確実に認識することとなる。これにより、操作者は、貨幣収容部に対する自身のアクセスが適正であるか否かを、確実に把握できる。よって、一方の操作者が取り扱うべき貨幣を誤って他方の操作者が取り扱うことを、確実に防止することができる。
【０００９】
本態様において、前記制御部は、前記取引処理が何れの操作者に占有されているかに応じて前記発光部の発光色を切り替えるよう構成され得る。
【００１０】
この構成によれば、操作者は、発光色により直感的かつ円滑に、取引処理が何れの操作者に占有されているかを認識できる。
【００１１】
本態様において、前記制御部は、前記取引処理が何れの操作者に占有されているかに応じて前記発光部の発光周期を切り替えるよう構成され得る。
【００１２】
この構成によっても、操作者は、取引処理が何れの操作者に占有されているかを認識できる。
【００１３】
本態様において、前記貨幣収容部は、出金処理時に搬出された貨幣を取り出すための貨幣出金部とされ得る。
【００１４】
この場合、一方の操作者が取り出すべき貨幣を誤って他方の操作者が取り出すことを確実に防止できる。
【００１５】
この構成において、貨幣出金部は、出金処理時の貨幣の収容とともに、入金処理時におけるリジェクト貨幣の収容に共用され得る。この場合、前記制御部は、前記貨幣出金部に対する前記発光部の発光状態を、さらに、貨幣の出金時とリジェクト時とにおいて切り替えるよう構成され得る。
【００１６】
この構成によれば、操作者は、貨幣出金部に対する発光の状態によって、入金処理時にリジェクト貨幣が生じたことを明確に認識できる。よって、リジェクト貨幣の取出しを円滑に進めることができる。
【００１７】
また、前記貨幣出金部は、装置本体に対して引き出し可能に構成され得る。この場合、前記制御部は、前記貨幣出金部が装着位置から引き出し方向に外れた状態にある場合に、前記貨幣出金部に対する前記発光部の発光状態を、さらに、出金処理時と異なる状態に切り替えるよう構成され得る。
【００１８】
この構成によれば、操作者は、貨幣出金部に対する発光の状態によって、貨幣出金部の装着状態に不具合が生じていることを認識できる。よって、貨幣出金部を適正な位置まで押し込む対応を円滑に進めることができる。
【００１９】
本態様に係る貨幣処理装置は、取引処理時に生じた異物を返却するための返却部と、前記返却部に前記異物が収容されたことを検出するための検出部と、をさらに備える構成とされ得る。この場合、前記発光部は、さらに、前記返却部およびその周辺部の少なくとも一方を発光させるよう構成され、前記制御部は、前記検出部により前記異物が検出された場合に、前記返却部に対する発光を前記発光部に行わせるとともに、前記取引処理が何れの操作者に占有されているかに応じて、前記返却部に対する発光状態を切り替えるよう構成され得る。
【００２０】
この構成によれば、操作者は、返却部に対する発光状態によって、異物が返却部に収容されていることを認識できる。よって、操作者は、異物を返却部から取り出して顧客に返却する対応を円滑に進めることができる。
【００２１】
本態様の第２の態様は、複数の上位端末と、各上位端末からの指示に基づいて貨幣の入出金等の取引処理を行う貨幣処理装置を含む貨幣処理システムに関する。本態様に係る前記貨幣処理装置は、貨幣収容部と、前記貨幣収容部およびその周辺部の少なくとも一方を発光させる発光部と、前記取引処理が何れの前記上位端末からの指示であるかに応じて前記発光部の発光状態を切り替える制御部と、を備える。
【００２２】
本態様に係る貨幣処理システムによれば、貨幣収容部およびその周辺部の少なくとも一方が、上位端末ごとに異なる発光状態で発光される。このため、操作者は、貨幣収容部に対してアクセスする際に、必ず、この発光を見ることとなり、その発光状態によって、何れの上位端末からの指示により取引処理が行われる状態にあるかを、確実に認識することとなる。これにより、操作者は、貨幣収容部に対する自身のアクセスが適正であるか否かを、確実に把握できる。よって、一方の操作者が取り扱うべき貨幣を誤って他方の操作者が取り扱うことを、確実に防止することができる。
【発明の効果】
【００２３】
以上のとおり、本発明によれば、一方の操作者が取り扱うべき貨幣を誤って他方の操作者が取り扱うことを確実に防止することができる。
【００２４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２５】
【図１】図１は、実施形態に係る、貨幣入出金機の構成を示す斜視図である。
【図２】図２は、実施形態に係る、貨幣入出金機の構成を示す概略図である。
【図３】図３は、実施形態に係る、占有指示モジュールの構成を示す分解斜視図である。
【図４】図４（ａ）、（ｂ）は、それぞれ、実施形態に係る、占有指示モジュールの縦断面図である。
【図５】図５（ａ）、（ｂ）は、それぞれ、実施形態に係る、紙幣入金口の内部の構成を模式的に示す正面図および断面図である。図５（ｃ）、（ｄ）は、それぞれ、実施形態に係る、返却用受け皿の構成を模式的に示す正面図および返却用受け皿の装着状態を模式的に示す側面図である。図５（ｅ）、（ｆ）は、それぞれ、実施形態に係る、紙幣出金口の内部の構成を模式的に示す正面図および断面図である。
【図６】図６（ａ）、（ｂ）は、それぞれ、実施形態に係る、硬貨出金箱の構成を模式的に示す正面図および硬貨出金箱の装着状態を模式的に示す側面図である。図６（ｃ）、（ｄ）は、それぞれ、実施形態に係る、硬貨入金口の構成を模式的に示す上面図および断面図である。
【図７】図７は、実施形態に係る、貨幣入出金機の主たる構成を示すブロック図である。
【図８】図８（ａ）、（ｂ）は、それぞれ、実施形態に係る、入金処理時およびリジェクト処理時の発光制御を示すフローチャートである。
【図９】図９（ａ）〜（ｃ）は、それぞれ、実施形態に係る、出金処理時、異物検出および硬貨出金箱の外れ検出時の発光制御を示すフローチャートである。
【図１０】図１０（ａ）、（ｂ）は、それぞれ、実施形態に係る、入金処理時の発光状態を模式的に示す図である。図１０（ｃ）、（ｄ）は、それぞれ、実施形態に係る、出金処理時の発光状態を模式的に示す図である。図１０（ｅ）、（ｆ）は、それぞれ、実施形態に係る、リジェクト処理時の発光状態を模式的に示す図である。図１０（ｇ）、（ｈ）は、それぞれ、実施形態に係る、異物検出時および硬貨出金箱の外れ検出時の発光状態を模式的に示す図である。
【図１１】図１１（ａ）、（ｂ）は、それぞれ、変更例１に係る、入金処理時の発光状態を模式的に示す図である。図１１（ｃ）、（ｄ）は、それぞれ、変更例２に係る、入金処理時および出金処理時の発光制御を示すフローチャートである。
【図１２】図１２（ａ）、（ｂ）は、それぞれ、変更例３に係る、発光配置を模式的に示す図である。
【図１３】図１３は、変更例４に係る、貨幣入出金機の構成を示す斜視図である。
【発明を実施するための形態】
【００２６】
以下、本発明の実施形態について図面を参照して説明する。
【００２７】
本実施形態において、貨幣入出金機１が、特許請求の範囲に記載の「貨幣処理装置」に対応する。また、硬貨入金口１３、紙幣出金口１４、紙幣入金口１５および硬貨出金箱１６が、特許請求の範囲に記載の「貨幣収容部」に対応し、紙幣出金口１４および硬貨出金箱１６が、特許請求の範囲に記載の「貨幣出金部」に対応する。さらに、返却用受け皿１９が、特許請求の範囲に記載の「返却部」に対応する。また、貨幣入出金機１および２つの上位端末２からなるシステムが、特許請求の範囲に記載の「貨幣処理システムに対応する。
【００２８】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００２９】
図１は、貨幣入出金機１の構成を示す斜視図である。図２は、貨幣入出金機１の構成を示す概略図である。
【００３０】
貨幣入出金機１は、銀行等の金融機関における窓口カウンタの内側で窓口業務を行う２人のテラー（操作者）の間に設置される。貨幣入出金機１は、各テラーによって操作される上位端末２に通信ケーブル３を介して接続されている。
【００３１】
貨幣入出金機１は、外郭を構成する外装体１０内に、紙幣入出金ユニット１１と硬貨入出金ユニット１２とを備える。紙幣入出金ユニット１１は、外装体１０内の下側に設けられ、紙幣の入金処理、出金処理等を行う。硬貨入出金ユニット１２は、外装体１０内の上側に設けられ、硬貨の入金処理、出金処理等を行う。
【００３２】
図１を参照し、外装体１０は、左右方向の横幅よりも前後方向の奥行が長く、上下方向の高さが左右方向の横幅よりも高いほぼ直方体形状を有する。外装体１０は、本体１０ａと、本体１０ａの前上部に設けられた外装カバー１０ｂと、本体１０ａの前面に設けられた扉体１０ｃとを備える。たとえば、外装カバー１０ｂは樹脂材料で形成され、本体１０ａおよび扉体１０ｃは金属材料で形成される。
【００３３】
外装カバー１０ｂには、上面に硬貨入金口１３が形成され、前面に紙幣出金口１４が形成され、上面から前面にかけて湾曲する湾曲面に紙幣入金口１５が形成される。紙幣出金口１４および紙幣入金口１５は、それぞれ、シャッター１４ａ、１５ａにより開閉される。また、外装カバー１０ｂの下部の右端には、硬貨出金箱１６が配置されている。硬貨出金箱１６は、前方へ引き出すことができる。
【００３４】
外装カバー１０ｂの後部には操作表示部１７が設けられる。操作表示部１７は、前方斜め上方を向くように外装カバー１０ｂに固定される。操作表示部１７は、ディスプレイとタッチセンサとからなるタッチパネルで構成される。操作表示部１７は、ディスプレイに各種の画像（画面）を表示するとともに、ディスプレイに対するユーザのタッチ操作をタッチセンサにより検出する。
【００３５】
外装カバー１０ｂの上面における硬貨入金口１３の両側の領域には、４つの占有ボタン１８が設けられる。４つの占有ボタン１８は、前側の左右にそれぞれ設けられた占有ボタン１８ａ、１８ｂと、後側の左右にそれぞれ設けられた占有ボタン１８ｃ、１８ｄとを含む。前側の占有ボタン１８ａ、１８ｂは、それぞれ、左側および右側のテラーが貨幣入出金機１の紙幣に係る取引処理の占有を指示するために用いられる。同様に、後ろ側の占有ボタン１８ｃ、１８ｄは、それぞれ、左側および右側のテラーが貨幣入出金機１の硬貨に係る取引処理の占有を指示するために用いられる。
【００３６】
また、外装カバー１０ｂの前面には、返却用受け皿１９が配置されている。返却用受け皿１９は、前方へ引き出すことができる。紙幣入金口１５にセットされた紙幣に硬貨等の異物が挟まれている場合、紙幣の搬入動作に伴い、異物が返却用受け皿１９に落下する。各テラーは、返却用受け皿１９を引き出すことにより異物を取出し、取り出した異物を適宜顧客等に返却する。
【００３７】
図２を参照し、紙幣入出金ユニット１１は、入金部１１０と、出金部１２０と、リジェクト部１３０と、搬送部１４０と、識別部１５０と、紙幣揃え部１６０と、２つのカセット１７０と、カセット１７１と、カセット１７０用の２つの一時保留部１８０と、３つのスタッカ１９０と、スタッカ１９０用の３つの一時保留部２００と、を備える。
【００３８】
入金部１１０、出金部１２０およびリジェクト部１３０は、外装体１０内の上部の正面近傍に設けられる。入金部１１０は紙幣入金口１５に繋がり、紙幣入金口１５を通じて入金部１１０にバラ状態の紙幣が投入される。出金部１２０およびリジェクト部１３０は紙幣出金口１４に繋がり、紙幣出金口１４を通じて出金部１２０およびリジェクト部１３０からバラ状態の紙幣が取り出される。
【００３９】
入金部１１０は、入金繰出機構１１１を備える。入金繰出機構１１１は、入金部１１０に投入された紙幣を一枚ずつ搬送部１４０へ繰り出す。出金部１２０は、主に、スタッカ１９０から繰り出された紙幣を受け取る。リジェクト部１３０は、主に、識別部１５０により属性（真偽、金種、表裏等）が識別できず、正常な紙幣と見做されない紙幣を受け取る。
【００４０】
搬送部１４０は、ベルト機構、ローラー機構等により構成され、メイン搬送路１４１と、入金搬送路１４２と、出金搬送路１４３と、リジェクト搬送路１４４と、２つのカセット搬送路１４５と、３つのスタッカ搬送路１４６とを含む。メイン搬送路１４１は、外装体１０内を前後方向に延びるようにループ状に形成され、図２において、時計回り方向（実線矢印）と反時計回り方向（破線矢印）に紙幣を搬送することが可能である。
【００４１】
入金搬送路１４２は、入金部１１０とメイン搬送路１４１との間に設けられる。出金搬送路１４３は、出金部１２０とメイン搬送路１４１との間に設けられる。リジェクト搬送路１４４は、リジェクト部１３０とメイン搬送路１４１との間に設けられる。カセット搬送路１４５は、カセット１７０および一時保留部１８０とメイン搬送路１４１との間に設けられる。スタッカ搬送路１４６は、スタッカ１９０および一時保留部２００とメイン搬送路１４１との間に設けられる。
【００４２】
識別部１５０は、メイン搬送路１４１の上側のループの後部に設けられる。識別部１５０は、搬送部１４０を流れる紙幣の属性を識別し、識別結果を後述する制御部に出力する。識別される属性には、紙幣の真偽、金種、紙幣の表裏の向きなどが含まれる。また、識別部１５０は紙幣を計数し、計数結果を後述する制御部に出力する。
【００４３】
紙幣揃え部１６０は、搬送部１４０を流れる紙幣の表裏の向きを揃えるために設けられる。紙幣揃え部１６０は、識別部１５０の前方、即ち、識別部１５０よりも出金時の紙幣の流れの下流側に配置される。紙幣揃え部１６０は、メイン搬送路１４１の一部を構成する反転部１６１および非反転部１６２を含む。反転部１６１は、スイッチバック方式により紙幣を表裏反転させる反転機構を含む。反転部１６１を通過した紙幣は、紙幣の短手方向、即ち天地方向に沿って表裏反転し、表裏および天地の向きが入れ替わる。非反転部１６２は、反転部１６１とほぼ同じ経路長を有し、紙幣を現状の向きのまま通過させる。たとえば、識別部１５０での識別の結果、表向きと識別された紙幣が非反転部１６２を通過し、裏向きと識別された紙幣が反転部１６１を通過することにより、紙幣の向きが表向きに揃えられる。
【００４４】
２つのカセット１７０と３つのスタッカ１９０は、外装体１０内において、搬送部１４０の下方に、前後に並ぶように設けられる。２つのカセット１７０が３つのスタッカ１９０の前方に設けられる。カセット１７０およびスタッカ１９０は、前方に引き出し可能な支持ユニット（図示せず）に支持され、扉体１０ｃを開放することにより、外装体１０内に対して出し入れすることができる。
【００４５】
カセット１７０は、主に、スタッカ１９０から回収された紙幣やスタッカ１９０へ補充される紙幣を収納するために利用される。また、カセット１７０は、スタッカ１９０内の紙幣の自動精査を行う自動精査処理の際、紙幣を一時的に収納するために利用される。一方のカセット１７０を、２千円券、旧券、損券等の収納に利用することもできる。カセット１７０内には、紙幣が上下に積まれるように収納される。収納された紙幣を昇降するため、カセット１７０内に昇降ステージ１７０ａが設けられる。
【００４６】
これらカセット１７０の右側には、さらに、硬貨回収用のカセット１７１が配置される。このカセット１７１も、上述の支持ユニットに支持され、前方に引き出し可能である。硬貨回収の際に、硬貨入出金ユニット１２からカセット１７１に硬貨が投入される。
【００４７】
カセット１７０用の一時保留部１８０は、対応するカセット１７０の上方に配置される。一時保留部１８０は、カセット１７０に収納される紙幣を一時的に保留（収納）する。一時保留部１８０の出入口側には繰出機構（図示せず）が設けられ、カセット１７０内の紙幣を、一時保留部１８０を通じてカセット搬送路１４５に繰り出すことができる。
【００４８】
スタッカ１９０は、入金された紙幣を金種別に収納するために利用される。たとえば、３つのスタッカ１９０のそれぞれに対し、一万円、千円および５千円の金種が割り当てられ得る。スタッカ１９０内には、紙幣が上下に積まれるように収納される。収納された紙幣を昇降するため、スタッカ１９０内に昇降ステージ１９０ａが設けられる。
【００４９】
スタッカ１９０用の一時保留部２００は、対応するスタッカ１９０の上方に配置される。一時保留部２００は、スタッカ１９０に収納される紙幣を一時的に保留（収納）する。一時保留部２００の出入口側には繰出機構（図示せず）が設けられ、スタッカ１９０内の紙幣を、一時保留部２００を通じてスタッカ搬送路１４６に繰り出すことができる。
【００５０】
紙幣の入金処理の際には、紙幣入金口１５を通じて入金部１１０に投入された紙幣が、搬送部１４０により搬送されるとともに識別部１５０で識別され、正常と識別された紙幣が、金種毎に、対応する一時保留部２００に一時的に保留される。そして、確定操作がなされると一時保留部２００内の紙幣が対応するスタッカ１９０内に収納される。なお、正常でないと識別された紙幣は、リジェクト部１３０に戻される。
【００５１】
また、紙幣の出金処理の際には、出金操作により指定された金額の紙幣が、スタッカ１９０内から繰り出されて搬送部１４０により搬送され、その途中に紙幣揃え部１６０で表裏の向きが揃えられて出金部１２０に払い出される。出金部１２０の紙幣は、紙幣出金口１４を通じて取り出される。
【００５２】
硬貨入出金ユニット１２は、図示しない硬貨搬送部、硬貨識別部、複数の金種別硬貨収納部などを備える。硬貨の入金処理の際には、硬貨入金口１３から投入された硬貨が、硬貨搬送部により搬送されるとともに硬貨識別部で識別され、正常と識別された硬貨が、金種毎に、対応する金種別硬貨収納部に収納される。なお、正常でないと識別された硬貨は、硬貨出金箱１６に戻される。また、硬貨の出金処理の際には、出金操作により指定された金額の硬貨が金種別硬貨収納部から投出され、硬貨搬送部により搬送されて硬貨出金箱１６に払い出される。
【００５３】
貨幣入出金機１の左右両側にいるテラーは、貨幣入出金機１を使用して入金処理、出金処理、計数処理などの取引処理を行うことができる。計数処理には、貨幣（紙幣、硬貨）の枚数を単純に計測する単純計数処理と、貨幣の枚数を計測するとともに同じ金種の貨幣を所定枚数単位にまとめる整理計数処理とが含まれる。
【００５４】
取引処理が計数処理である場合、各テラーは、占有操作を行った後に、操作表示部１７上で単純計数処理または整理計数処理の何れを行うかの選択を行う。具体的には、各テラーは、自身の側に設けられた占有ボタン１８、即ち、左側のテラーであれば占有ボタン１８ａまたは占有ボタン１８ｃを押し、右側のテラーであれば占有ボタン１８ｂまたは占有ボタン１８ｄを押して、貨幣入出金機１の処理を占有する操作（占有操作）を行った後、操作表示部１７上で単純計数処理または整理計数処理のための操作を行う。
【００５５】
また、取引処理が入金処理または出金処理である場合、各テラーは、上位端末２において金額等の入力を含む入金操作または出金操作を行う。こうして、入金操作または出金操作が行われると、上位端末２から貨幣入出金機１へ入金コマンドまたは出金コマンドが送信される。貨幣入出金機１は、受信したコマンドに基づいて、入金処理または出金処理を実行する。
【００５６】
なお、２つの上位端末２は、それぞれ、貨幣入出金機１を挟む左右のテラーの配備位置と対応付けられている。即ち、貨幣入出金機１には、貨幣入出金機１の右側の配備位置に対して一方の上位端末２を対応付け、貨幣入出金機１の左側の配備位置に対して他方の上位端末２を対応付ける設定がなされている。各テラーは、自身の配備位置に対応付けられた上位端末２から入金コマンドまたは出金コマンドを送信するための入力を行う。これにより、各上位端末２は、自身の識別情報を付してコマンドを送信する。コマンドを受信した貨幣入出金機１は、識別情報をもとに、受信したコマンドが何れの配備位置の処理に供されるものであるかを識別する。
【００５７】
本実施形態では、硬貨入金口１３の右側および左側にそれぞれ配置された占有ボタン１８のうち、取引処理を占有するテラー側の占有ボタン１８を点灯させる構成が設けられている。上記のように、何れか一方のテラーが、取引処理を占有するために、自身の側に配置された占有ボタン１８を操作すると、操作された占有ボタン１８が点灯し、当該テラーによって取引処理が占有されたことが表示される。また、貨幣入出金機１が上位端末２から入金または出金のためのコマンドを受信すると、コマンドとともに受信した識別情報に対応するテラー側の占有ボタンが点灯し、当該テラーによって取引処理が占有されたことが表示される。
【００５８】
図３は、占有ボタン１８の周辺の構成を示す分解斜視図である。図３に示すように、本実施形態では、占有ボタン１８が、占有指示モジュール３００の一部として構成されている。図４（ａ）、（ｂ）は、占有指示モジュール３００の縦断面図である。図４（ａ）は、図３の矢印Ａ方向から見た縦断面図であり、図４（ｂ）は、図３の矢印Ｂ方向から見た縦断面図である。なお、図３では、便宜上、外装カバー１０ｂおよびフィルムシート１８１の一部が四角形状に切り取られた状態で示されている。
【００５９】
占有指示モジュール３００は、占有ボタン１８の他、タッチセンサ３１０と、導光板３２０と、光源装置３３０と、ブラケット３４０とを含む。
【００６０】
占有ボタン１８は、外装カバー１０ｂを覆うフィルムシート１８１の一部を円形に窪ませることにより形成される。占有ボタン１８の外周部には、透光性を有する円環状のランプ部１８２が形成される。占有ボタン１８は、外装カバー１０ｂに形成された円形の開口部１０ｂ１に嵌め込まれ、その裏面が外装カバー１０ｂの裏側に露出する。
【００６１】
外装カバー１０ｂの裏側には、開口部１０ｂ１の周囲に凹部１０ｂ２が形成され、その凹部１０ｂ２にタッチセンサ３１０が収容される。タッチセンサ３１０は、シート状の部材であり、占有ボタン１８の裏面に接触した状態で重ねられる。タッチセンサ３１０は、たとえば、静電容量式のタッチセンサであり、指等が占有ボタン１８に触れたこと検出することにより、占有ボタン１８が押されたことを検出する。
【００６２】
導光板３２０は、透光性の材料により形成され、その上部がタッチセンサ３１０と同じ大きさで、その下部が上部よりも一回り大きな形状を有する。導光板３２０の上面が、タッチセンサ３１０の裏面に接触した状態で重なる。
【００６３】
光源装置３３０は、複数（たとえば、４個）のＬＥＤ素子３３１と、これらＬＥＤ素子３３１が実装されるＬＥＤ基板３３２とを含む。ＬＥＤ素子３３１は、導光板３２０の下部の側面に沿うように並び、導光板３２０の内部に向けて発光する。ＬＥＤ素子３３１は、それぞれ、赤、緑、青等の互いに異なる複数種類の色の光を出射可能となっている。
【００６４】
導光板３２０の下面には、一面に細かな凹凸が形成されており、ＬＥＤ素子３３１から発せられた光がこれらの凹凸で乱反射することにより、導光板３２０の下面全体がタッチセンサ３１０および占有ボタン１８に向かって発光する。これにより、占有ボタン１８のランプ部１８２が点灯する。
【００６５】
導光板３２０および光源装置３３０は、ブラケット３４０によって保持される。ブラケット３４０は、外装カバー１０ｂの裏面に固定される。導光板３２０とブラケット３４０の間には、ゴム等からなる４つの支持部材３４１が介在している。
【００６６】
本実施形態では、図３および図４（ａ）、（ｂ）に示した構成によって、取引処理を占有するテラー側の占有ボタン１８が点灯される。右側の２つの占有ボタン１８の発光色と左側の２つの占有ボタン１８の発光色は、互いに相違する。これにより、何れのテラーが取引処理を占有した状態にあるかが表示される。各テラーは、占有ボタン１８の点灯状態を確認することにより、自身が取引処理を占有した状態にあるかを把握できる。
【００６７】
しかしながら、貨幣入出金機１に対して各テラーが並行して取引処理を実行する場合、各テラーは、占有ボタン１８の点灯状態を確認することなく、紙幣出金口１４や硬貨出金箱１６にアクセスして貨幣を取り出し、あるいは、紙幣入金口１５や硬貨入金口１３にアクセスして貨幣をセットすることが起こり得る。このような操作が、取引処理を占有しない側のテラーによって行われると、誤った出金操作あるいは入金操作が生じてしまう。
【００６８】
そこで、本実施形態では、このような誤った出金操作あるいは入金操作を防ぐための構成が設けられている。具体的には、硬貨入金口１３、紙幣出金口１４、紙幣入金口１５および硬貨出金箱１６を、何れのテラーが取引処理を占有した状態にあるかを識別可能な形態で発光させる構成が設けられている。以下、この構成について説明する。
【００６９】
図５（ａ）、（ｂ）は、それぞれ、紙幣入金口１５の内部の構成を模式的に示す正面図および断面図である。図５（ａ）には、紙幣入金口１５を正面側から見たときの構成が模式的に示され、図５（ｂ）には、紙幣入金口１５を右側から見たときの紙幣入金口１５付近の縦断面が模式的に示されている。便宜上、図５（ａ）、（ｂ）では、紙幣を装置内部に搬入するための搬入機構等の図示が省略されている。
【００７０】
図５（ａ）、（ｂ）に示すように、紙幣入金口１５の内部には、所定枚数の紙幣を収容可能な紙幣収容部１５ｂが設けられている。紙幣収容部１５ｂの天面に、ＬＥＤ基板４１１が設置され、このＬＥＤ基板４１１に複数のＬＥＤ素子４１２が左右に並ぶように実装されている。これらＬＥＤ素子４１２は、紙幣収容部１５ｂの下方に向けて光を出射する。ＬＥＤ素子４１２は、それぞれ、赤、緑、青等の互いに異なる複数種類の色の光を出射可能に構成されている。
【００７１】
後述のように、本実施形態では、取引処理が何れのテラーに占有されているかに応じてＬＥＤ素子４１２の発光色が切り替えられる。このようにＬＥＤ素子４１２が制御されることにより、紙幣収容部１５ｂの底部が、占有側のテラーを示す色で発光する。
【００７２】
紙幣収容部１５ｂの底部には、複数の梁部１５ｃが、左右に並ぶように設けられ、これら梁部１５ｃの間に隙間１５ｄが設けられている。入金処理の際、紙幣は、梁部１５ｃの上にセットされる。セットされた紙幣は、入金繰出機構１１１によって、装置内部へと１枚ずつ搬入される。このとき、紙幣の間に硬貨等の異物が挟まっていると、異物が隙間１５ｄから下方に落下し、返却用受け皿１９に収容される。
【００７３】
図５（ｃ）、（ｄ）は、それぞれ、返却用受け皿１９の構成を模式的に示す正面図および返却用受け皿１９の装着状態を模式的に示す側面図である。図５（ｃ）には、返却用受け皿１９とともに、ＬＥＤ素子４２２が示されている。また、図５（ｄ）には、返却用受け皿１９とともに、返却用受け皿１９を引き出し可能に支持する支持フレームＦ１１および外装カバー１０ｂの縦断面が模式的に示されている。
【００７４】
返却用受け皿１９は、透光性の材料により一体形成されている。返却用受け皿１９の前面には、テラーが指を掛けるための凹部１９ａが形成されている。また、返却用受け皿１９の上面には、下方に凹んだ異物収容部１９ｂが形成されている。紙幣入金口１５の紙幣収容部１５ｂから落下した異物は、支持フレームＦ１１に形成された開口Ｆ１１ａを介して異物収容部１９ｂ内へと落下する。平面視において、開口Ｆ１１ａは、異物収容部１９ｂと略同じ広さとなっている。
【００７５】
返却用受け皿１９の前部下方にＬＥＤ基板４２１が設置され、このＬＥＤ基板４２１に複数のＬＥＤ素子４２２が左右に並ぶように実装されている。これらＬＥＤ素子４２２は、支持フレームＦ１１に形成された孔Ｆ１１ｂを介して、返却用受け皿１９の前部下面に光を出射する。ＬＥＤ素子４２２は、それぞれ、赤、緑、青等の互いに異なる複数種類の色の光を出射可能に構成されている。
【００７６】
後述のように、本実施形態では、取引処理が何れのテラーに占有されているかに応じてＬＥＤ素子４２２の発光色が切り替えられる。このようにＬＥＤ素子４２２が制御されることにより、ＬＥＤ素子４２２から出射された光が返却用受け皿１９の前部下面から前面へと透過し、返却用受け皿１９の前面が、占有側のテラーを示す色で発光する。
【００７７】
さらに、支持フレームＦ１１の下面に磁気センサ４２３が設置されている。磁気センサ４２３は、異物収容部１９ｂの底面と略同じ広さで広がっている。磁気センサ４２３は、複数のコイルを備え、これらコイルによって異物収容部１９ｂにループ状の磁界を生成する。異物収容部１９ｂに硬貨が収容されると、硬貨によって磁界が遮られる。磁気センサ４２３は、このような磁界の変化に基づいて、異物収容部１９ｂに硬貨が収容されたことを検出する。
【００７８】
図５（ｅ）、（ｆ）は、それぞれ、紙幣出金口１４の内部の構成を模式的に示す正面図および断面図である。図５（ｅ）には、紙幣出金口１４を正面側から見たときの構成が模式的に示され、図５（ｆ）には、紙幣出金口１４を右側から見たときの紙幣出金口１４付近の縦断面が模式的に示されている。便宜上、図５（ｅ）、（ｆ）では、紙幣を装置内部から搬出するための搬出機構等の図示が省略されている。
【００７９】
図５（ｅ）、（ｆ）に示すように、紙幣出金口１４の内部には、所定枚数の紙幣を収容可能な紙幣収容部１４ｂが設けられている。紙幣収容部１４ｂの天面に、ＬＥＤ基板４３１が設置され、このＬＥＤ基板４３１に複数のＬＥＤ素子４３２が左右に並ぶように実装されている。これらＬＥＤ素子４３２は、紙幣収容部１４ｂの下方に向けて光を出射する。ＬＥＤ素子４３２は、それぞれ、赤、緑、青等の互いに異なる複数種類の色の光を出射可能に構成されている。
【００８０】
後述のように、本実施形態では、取引処理が何れのテラーに占有されているかに応じてＬＥＤ素子４３２の発光色が切り替えられる。このようにＬＥＤ素子４３２が制御されることにより、紙幣収容部１４ｂの底部が、占有側のテラーを示す色で発光する。
【００８１】
図６（ａ）、（ｂ）は、それぞれ、硬貨出金箱１６の構成を模式的に示す正面図および硬貨出金箱１６の装着状態を模式的に示す側面図である。図６（ａ）には、硬貨出金箱１６とともに、ＬＥＤ素子４４２が示されている。また、図６（ｂ）には、硬貨出金箱１６とともに、硬貨出金箱１６を引き出し可能に支持する支持フレームＦ１２および外装カバー１０ｂの縦断面が模式的に示されている。
【００８２】
硬貨出金箱１６は、透光性の材料により一体形成されている。硬貨出金箱１６の前面には、テラーが指を掛けるための凹部１６ａが形成されている。また、硬貨出金箱１６の上面には、下方に凹んだ硬貨収容部１６ｂが形成されている。硬貨は、支持フレームＦ１２に形成された開口Ｆ１２ａを介して硬貨収容部１６ｂ内へと投出される。平面視において、開口Ｆ１２ａは、硬貨収容部１６ｂよりもやや小さい。
【００８３】
硬貨出金箱１６の前部上方にＬＥＤ基板４４１が設置され、このＬＥＤ基板４４１に複数のＬＥＤ素子４４２が左右に並ぶように実装されている。これらＬＥＤ素子４４２は、支持フレームＦ１２に形成された孔Ｆ１２ｂを介して、硬貨出金箱１６の前部上面に光を出射する。ＬＥＤ素子４２２は、それぞれ、赤、緑、青等の互いに異なる複数種類の色の光を出射可能に構成されている。
【００８４】
後述のように、本実施形態では、取引処理が何れのテラーに占有されているかに応じてＬＥＤ素子４４２の発光色が切り替えられる。このようにＬＥＤ素子４４２が制御されることにより、ＬＥＤ素子４４２から出射された光が硬貨出金箱１６の前部上面から前面へと透過し、硬貨出金箱１６の前面が、占有側のテラーを示す色で発光する。
【００８５】
さらに、硬貨出金箱１６の下部奥方にマイクロスイッチ４４３が設置されている。マイクロスイッチ４４３は、端子４４３ａが、支持フレームＦ１２の孔Ｆ１２ｃを介して硬貨出金箱１６の装着領域１６ｄへと突出している。硬貨出金箱１６が装着領域１６ｄに適正に装着されると、マイクロスイッチ４３３の端子４４３ａが押し込まれる。これにより、硬貨出金箱１６が所定の装着位置に適正に装着されていることが検出される。硬貨出金箱１６が前方にずれた状態にあると、マイクロスイッチ４３３の端子４４３ａが突出した状態となる。これにより、硬貨出金箱１６の外れが検出される。
【００８６】
図６（ｃ）、（ｄ）は、それぞれ、硬貨入金口１３の構成を模式的に示す上面図および断面図である。図６（ｃ）には、硬貨入金口１３を上方から見たときの構成が模式的に示され、図６（ｄ）には、硬貨入金口１３を右側から見たときの硬貨入金口１３付近の縦断面が模式的に示されている。
【００８７】
硬貨入金口１３の奥側に、４つの壁部１３ａ〜１３ｄが配置され、これら壁部１３ａ〜１３ｄによって、硬貨収容部１３ｅが構成されている。壁部１３ａ〜１３ｄは透光性の材料により形成されている。壁部１３ａ、１３ｂは、硬貨入金口１３の奥に向かうほど互いに接近するように傾いている。同様に、壁部１３ｃ、１３ｄも、硬貨入金口１３の奥に向かうほど互いに接近するように傾いている。硬貨入金口１３に投入された硬貨は、硬貨収容部１３ｅに収容され、壁部１３ａ〜１３ｄによって出口１３ｆへと導かれる。
【００８８】
壁部１３ａの裏側にＬＥＤ基板４５１が設置され、このＬＥＤ基板４５１に複数のＬＥＤ素子４５２が左右に並ぶように実装されている。これらＬＥＤ素子４５２は、壁部１３ａに裏面に向けて光を出射する。ＬＥＤ素子４５２は、それぞれ、赤、緑、青等の互いに異なる複数種類の色の光を出射可能に構成されている。
【００８９】
後述のように、本実施形態では、取引処理が何れのテラーに占有されているかに応じてＬＥＤ素子４５２の発光色が切り替えられる。このようにＬＥＤ素子４５２が制御されることにより、ＬＥＤ素子４５２から出射された光が壁部１３ａの前面へと透過し、壁部１３ａが、占有側のテラーを示す色で発光する。
【００９０】
図７は、貨幣入出金機１の主たる構成を示すブロック図である。
【００９１】
貨幣入出金機１は、上述した紙幣入出金ユニット１１、硬貨入出金ユニット１２、操作表示部１７の他、制御部２１と、記憶部２２と、通信部２３と、発光部２４と、検出部２５と、を備える。
【００９２】
制御部２１は、ＣＰＵ（Central Processing Unit）等の演算回路を備え、記憶部２２に記憶された動作プログラムに従って、操作表示部１７、紙幣入出金ユニット１１の各構成部（入金繰出機構１１１、搬送部１４０、識別部１５０、紙幣揃え部１６０、カセット１７０、一時保留部１８０、スタッカ１９０、一時保留部２００等）および硬貨入出金ユニット１２等の各構成部を制御する。
【００９３】
記憶部２２は、ＲＯＭ（Read Only Memory）、ＲＡＭ（Random Access Memory）やハードディスク等の記憶媒体を備える。記憶部２２は、制御部２１の動作プログラムを記憶し、また、制御部２１の制御処理の際にワーク領域として利用される。通信部２３は、上位端末２との間で通信を行う。発光部２４は、図３および図４に示したＬＥＤ素子３３１および図４（ａ）〜図６（ｄ）に示したＬＥＤ素子４１２、４２２、４３２、４４２、４５２と、これらＬＥＤ素子を駆動する駆動回路とを含む。検出部２５は、図５（ｄ）に示した磁気センサ４２３および図６（ｂ）に示したマイクロスイッチ４４３を含み、さらに、紙幣出金口１４から紙幣が抜き取られたことを検出するためのセンサ等を含む。
【００９４】
制御部２１は、取引処理が何れのテラーに占有されているかに応じて、発光部２４、すなわち、ＬＥＤ素子３３１、４１２、４２２、４３２、４４２、４５２の発光色を切り替える。これにより、紙幣出金口１４、紙幣入金口１５、硬貨入金口１３、硬貨出金箱１６、占有ボタン１８および返却用受け皿１９が、占有側のテラーを示す色で発光する。たとえば、左側のテラーが取引処理を占有した場合、発光色は青色に設定され、右側のテラーが取引処理を占有した場合、発光色は緑色に設定される。以下、制御部２１により実行される発光制御について、取引処理ごとに説明する。
【００９５】
図８（ａ）は、入金処理時の発光制御を示すフローチャートである。
【００９６】
制御部２１は、上位端末２から入金指示を受信すると（Ｓ１０１：ＹＥＳ）、占有側テラーの占有ボタン１８を占有側の発光色で点灯させる（Ｓ１０２）。すなわち、制御部２１は、入金指示とともに受信した上位端末２の識別情報に基づいて、占有側のテラーを特定し、占有側の占有ボタン１８を、占有側の発光色で点灯させる。たとえば、占有側のテラーが左側のテラーである場合、制御部２１は、左側の２つの占有ボタン１８のためのＬＥＤ素子３３１を左側の発光色である青色で点灯させて、これら２つの占有ボタン１８を青色で点灯させる。
【００９７】
さらに、制御部２１は、紙幣入金口１５のシャッター１５ａを開放し（Ｓ１０３）、紙幣入金口１５と硬貨入金口１３を、占有側の発光色で点灯させる（Ｓ１０４）。たとえば、占有側のテラーが左側のテラーである場合、制御部２１は、紙幣入金口１５および硬貨入金口１３を発光させるためのＬＥＤ素子４１２、４５２を左側の発光色である青色で点灯させて、紙幣入金口１５と硬貨入金口１３を青色で点灯させる。
【００９８】
その後、制御部２１は、操作表示部１７に表示された画面上のスタートボタンにテラーがタッチするのを待つ（Ｓ１０５）。テラーは、紙幣入金口１５および硬貨入金口１３に貨幣をセットした後、操作表示部１７上のスタートボタンにタッチする。こうして、スタート指示が入力されると（Ｓ１０５：ＹＥＳ）、制御部２１は、紙幣入金口１５のシャッター１５ａを閉じて、テラーによりセットされた紙幣および硬貨を計数し、計数した紙幣および硬貨を一時保留する（Ｓ１０６）。
【００９９】
紙幣および硬貨の計数処理が終了すると、制御部２１は、テラーから確定指示が入力されるのを待つ（Ｓ１０７）。ステップＳ１０６で計数された紙幣および硬貨の枚数が、操作表示部１７に表示される。テラーは、表示された紙幣および硬貨の枚数を確認した後、操作表示部１７に表示された確定ボタンにタッチする。こうして確定指示が入力されると（Ｓ１０７：ＹＥＳ）、制御部２１は、一時保留した紙幣および硬貨を収納する処理を実行する（Ｓ１０８）。これに応じて、制御部２１は、占有ボタン１８、紙幣入金口１５および硬貨入金口１３の点灯を停止させ、入金処理時の発光制御が終了する。但し、後述するリジェクト処理や異物検出等があった場合には、それらの処理が完了したことを条件に、占有ボタンの点灯を停止する。なお、ステップＳ１０５において、テラーからスタート指示が入力されたことに応じて、紙幣入金口１５および硬貨入金口１３の発光を停止させてもよい。
【０１００】
図８（ｂ）は、リジェクト処理時の発光制御を示すフローチャートである。
【０１０１】
紙幣および硬貨のリジェクトは、たとえば、図８（ａ）のステップＳ１０６において、識別不能な紙幣または硬貨が生じた場合に行われる。識別不能なリジェクト紙幣は、紙幣出金口１４に排出され、識別不能なリジェクト硬貨は、硬貨出金箱１６に排出される。
【０１０２】
制御部２１は、リジェクト紙幣の排出の有無（Ｓ２０１）と、リジェクト硬貨の排出の有無（Ｓ２０４）を継続的に監視する。紙幣出金口１４にリジェクト紙幣が排出されると（Ｓ２０１）、制御部２１は、紙幣出金口１４のシャッター１４ａを開放し（Ｓ２０２）、紙幣出金口１４を占有テラー側の発光色で点滅させる（Ｓ２０３）。すなわち、制御部２１は、紙幣出金口１４を発光させるためのＬＥＤ素子４３２を占有テラー側の発光色で点滅させて、紙幣出金口１４を点滅させる。たとえば、左側のテラーが取引処理を占有している際にリジェクト紙幣が排出されると、紙幣出金口１４が青色で点滅する。
【０１０３】
また、硬貨出金箱１６にリジェクト硬貨が排出されると（Ｓ２０４）、制御部２１は、硬貨出金箱１６を占有テラー側の発光色で点滅させる（Ｓ２０５）。すなわち、制御部２１は、硬貨出金箱１６を発光させるためのＬＥＤ素子４４２を占有テラー側の発光色で点滅させて、硬貨出金箱１６を点滅させる。たとえば、左側のテラーが取引処理を占有している際にリジェクト硬貨が排出されると、硬貨出金箱１６が青色で点滅する。
【０１０４】
紙幣出金口１４の点滅および硬貨出金箱１６の点滅は、紙幣出金口１４および硬貨出金箱１６からリジェクト紙幣およびリジェクト硬貨が抜き取られるまで継続される。リジェクト紙幣の抜き取りは、紙幣出金口１４からリジェクト紙幣が消失したことを検出部２５が検出したことによって検出される。また、リジェクト硬貨の抜き取りは、硬貨出金箱１６が抜き取られたことを検出部２５が検出したことによって検出される。
【０１０５】
図９（ａ）は、出金処理時の発光制御を示すフローチャートである。
【０１０６】
制御部２１は、上位端末２から出金指示を受信すると（Ｓ３０１：ＹＥＳ）、占有側テラーの占有ボタン１８を占有側の発光色で点灯させる（Ｓ３０２）。すなわち、制御部２１は、出金指示とともに受信した上位端末２の識別情報に基づいて、占有側のテラーを特定し、占有側の占有ボタン１８を、占有側の発光色で点灯させる。
【０１０７】
そして、制御部２１は、出金指示に基づく紙幣および硬貨の搬送処理を実行する（Ｓ３０３）。これにより、紙幣は紙幣出金口１４に搬送され、硬貨は硬貨出金箱１６に投出される。こうして、紙幣および硬貨の搬送が終了すると（Ｓ３０４：ＹＥＳ）、制御部２１は、紙幣出金口１４のシャッター１４ａを開放し（Ｓ３０５）、紙幣出金口１４を占有側の発光色で点灯させる（Ｓ３０６）。また、制御部２１は、硬貨出金箱１６を占有側の発光色で点灯させる（Ｓ３０７）。具体的には、制御部２１は、ステップＳ３０６において、紙幣出金口１４を発光させるためのＬＥＤ素子４３２を占有側の発光色で点灯させ、ステップＳ３０７において、硬貨出金箱１６を発光させるためのＬＥＤ素子４４２を占有側の発光色で点灯させる。
【０１０８】
その後、紙幣出金口１４および硬貨出金箱１６の発光は、紙幣出金口１４および硬貨出金箱１６から紙幣および硬貨の抜き取りが行われるまで継続される（Ｓ３０８）。紙幣および硬貨の抜き取りは、リジェクト紙幣およびリジェクト硬貨の抜き取りと同様、紙幣出金口１４からリジェクト紙幣が消失したこと、および、硬貨出金箱１６が抜き取られたことを検出部２５が検出したことによって検出される。
【０１０９】
制御部２１は、紙幣の抜き取りが検出されたことに応じて、紙幣出金口１４の点灯を停止させ、硬貨の抜き取りが検出されたことに応じて、硬貨出金箱１６の点灯を停止させ、紙幣と硬貨の両方の抜き取りが検出されたことに応じて占有ボタン１８の点灯を終了させる。また、制御部２１は、紙幣の抜き取りが検出されたことに応じて、紙幣出金口１４のシャッター１４ａを閉塞させる。これにより、出金処理時の発光制御が終了する。
【０１１０】
図９（ｂ）は、異物検出時の発光制御を示すフローチャートである。
【０１１１】
制御部２１は、返却用受け皿１９の下方に設置された磁気センサ４２３（図５（ｃ）、（ｄ）参照）の出力に基づいて、返却用受け皿１９に異物が収容されたか否かを監視する（Ｓ４０１）。返却用受け皿１９に異物が収容されたことを検出すると（Ｓ４０１：ＹＥＳ）、制御部２１は、返却用受け皿１９を占有側の発光色で高速点滅させる（Ｓ４０２）。具体的には、制御部２１は、返却用受け皿１９を発光させるためのＬＥＤ素子４２２を占有側の発光色で高速点滅させる。その後、制御部２１は、磁気センサ４２３の出力に基づいて異物が消失したことを検出したことに応じて、返却用受け皿１９の点滅を停止させる。なお、返却用受け皿１９が抜き取られたことを検出部２５が検出したことに応じて、返却用受け皿１９の点滅を停止させてもよい。こうして、異物検出時の発光制御が終了する。
【０１１２】
図９（ｃ）は、硬貨出金箱１６の外れ検出時の発光制御を示すフローチャートである。
【０１１３】
制御部２１は、硬貨出金箱１６の奥方に設置されたマイクロスイッチ４４３（図６（ｂ）参照）の出力に基づいて、硬貨出金箱１６が、前方にやや引き出された外れ状態にあるか否かを監視する（Ｓ５０１）。硬貨出金箱１６が外れ状態にあることを検出すると（Ｓ５０１：ＹＥＳ）、制御部２１は、硬貨出金箱１６を占有側の発光色で高速点滅させる（Ｓ５０２）。具体的には、制御部２１は、硬貨出金箱１６のためのＬＥＤ素子４４２を占有側の発光色で高速点滅させる。その後、制御部２１は、マイクロスイッチ４４３の出力に基づいて硬貨出金箱１６の外れが解消されたことを検出したことに応じて、硬貨出金箱１６の点滅を停止させる。こうして、外れ検出時の発光制御が終了する。
【０１１４】
次に、図８（ａ）〜図９（ｃ）の各発光制御がなされた場合の各部の発光状態について、図１０（ａ）〜（ｈ）を参照して説明する。図１０（ａ）〜（ｈ）には、貨幣入出金機１の外装カバー１０ｂの部分が模式的に示されている。ここでは、便宜上、外装カバー１０ｂの上面が、外装カバー１０ｂの前面に平行となるように展開されている。
【０１１５】
図１０（ａ）、（ｂ）は、それぞれ、入金処理時の発光状態を示す図である。
【０１１６】
図１０（ａ）には、左側のテラーが入金処理を占有している場合の発光状態が示されている。この場合、紙幣入金口１５のシャッター１５ａが開放され、左側の占有ボタン１８ａ、１８ｃと、硬貨入金口１３および紙幣入金口１５が、左側テラーに対応する発光色（青色）で点灯する。また、図１０（ｂ）には、右側のテラーが入金処理を占有している場合の発光状態が示されている。この場合、紙幣入金口１５のシャッター１５ａが開放され、右側の占有ボタン１８ｂ、１８ｄと、硬貨入金口１３および紙幣入金口１５が、右側テラーに対応する発光色（緑色）で点灯する。
【０１１７】
図１０（ｃ）、（ｄ）は、それぞれ、出金処理時の発光状態を示す図である。
【０１１８】
図１０（ｃ）には、左側のテラーが出金処理を占有している場合の発光状態が示されている。この場合、紙幣出金口１４のシャッター１４ａが開放され、左側の占有ボタン１８ａ、１８ｃと、紙幣出金口１４および硬貨出金箱１６が、左側テラーに対応する発光色（青色）で点灯する。また、図１０（ｄ）には、右側のテラーが出金処理を占有している場合の発光状態が示されている。この場合、紙幣出金口１４のシャッター１４ａが開放され、右側の占有ボタン１８ｂ、１８ｄと、紙幣出金口１４および硬貨出金箱１６が、右側テラーに対応する発光色（緑色）で点灯する。
【０１１９】
図１０（ｅ）、（ｆ）は、それぞれ、リジェクト処理時の発光状態を示す図である。
【０１２０】
図１０（ｅ）には、左側のテラーが入金処理を占有している際にリジェクト紙幣が生じた場合の発光状態が示されている。この場合、左側のテラーが入金処理を占有しているため、図１０（ａ）の場合と同様、紙幣入金口１５のシャッター１５ａが開放され、左側の占有ボタン１８ａ、１８ｃと、硬貨入金口１３および紙幣入金口１５が、左側テラーに対応する発光色（青色）で発光する。そして、この入金処理の際にリジェクト紙幣が生じると、紙幣出金口１４のシャッター１４ａが開放され、紙幣出金口１４が、左側テラーに対応する発光色（青色）で点滅する。
【０１２１】
図１０（ｆ）には、左側のテラーが入金処理を占有している際にリジェクト硬貨が生じた場合の発光状態が示されている。この場合は、図１０（ｅ）の場合に比べて、紙幣出金口１４が点滅せずに、硬貨出金箱１６が点滅する。
【０１２２】
なお、右側のテラーが入金処理を占有している際にリジェクト紙幣が生じた場合は、図１０（ｅ）の発光状態に対して、発光する占有ボタンが右側の占有ボタン１８ｂ、１８ｄに変更され、各部の発光色が、右側テラーに対応する発光色（緑色）に変更される。右側のテラーが入金処理を占有している際にリジェクト硬貨が生じた場合も、図１０（ｆ）の発光状態が同様に変更される。
【０１２３】
図１０（ｇ）は、異物検出時の発光状態を模式的に示す図である。
【０１２４】
図１０（ｇ）には、右側のテラーが入金処理を占有している際に異物が生じた場合の発光状態が示されている。この場合、右側のテラーが入金処理を占有しているため、図１０（ｂ）の場合と同様、紙幣入金口１５のシャッター１５ａが開放され、右側の占有ボタン１８ｄ、１８ｅと、硬貨入金口１３および紙幣入金口１５が、右側テラーに対応する発光色（緑色）で発光する。そして、この入金処理の際に異物が生じると、返却用受け皿１９が、右側テラーに対応する発光色（緑色）で高速点滅する。
【０１２５】
なお、左側のテラーが入金処理を占有している際に異物が生じた場合は、図１０（ｇ）の発光状態に対して、発光する占有ボタンが左側の占有ボタン１８ａ、１８ｃに変更され、各部の発光色が、左側テラーに対応する発光色（青色）に変更される。
【０１２６】
図１０（ｈ）は、硬貨出金箱１６の外れ検出時の発光状態を模式的に示す図である。
【０１２７】
図１０（ｈ）には、右側のテラーが取引処理を占有している際に硬貨入金口１３の外れが検出された場合の発光状態が示されている。この場合、硬貨出金箱１６が、右側テラーに対応する発光色（緑色）で高速点滅する。なお、左側のテラーが取引処理を占有している際に硬貨入金口１３の外れが検出された場合は、硬貨出金箱１６が、左側テラーに対応する発光色（青色）で高速点滅する。
【０１２８】
＜実施形態の効果＞
本実施形態によれば、以下の効果が奏され得る。
【０１２９】
硬貨入金口１３、紙幣出金口１４、紙幣入金口１５および硬貨出金箱１６が、取引処理の占有側の発光色で発光される。このため、各テラーは、硬貨入金口１３、紙幣出金口１４、紙幣入金口１５および硬貨出金箱１６にアクセスする際に、必ず、この発光を見ることとなり、その発光色によって、何れのテラーが取引処理を占有している状態にあるかを、確実に認識することとなる。これにより、各テラーは、硬貨入金口１３、紙幣出金口１４、紙幣入金口１５および硬貨出金箱１６に対する自身のアクセスが適正であるか否かを、確実に把握できる。よって、一方のテラーが取り扱うべき貨幣を誤って他方のテラーが取り扱うことを、確実に防止することができる。
【０１３０】
また、取引処理が何れのテラーに占有されているかが、硬貨入金口１３、紙幣出金口１４、紙幣入金口１５および硬貨出金箱１６における発光色で示される。これにより、各テラーは、直感的かつ円滑に、取引処理の占有状態を認識できる。
【０１３１】
特に、本実施形態では、出金処理の際に、紙幣出金口１４と硬貨出金箱１６が、出金処理の占有側の発光色で発光される。このため、一方のテラーが取り出すべき貨幣を誤って他方のテラーが取り出して顧客に渡すといった事態を確実に防止できる。
【０１３２】
図１０（ａ）、（ｅ）、（ｆ）を参照して説明したとおり、紙幣出金口１４および硬貨出金箱１６に対する発光状態が、貨幣の出金時とリジェクト時とにおいて切り替えられる。すなわち、出金時には各部が常時発光され、リジェクト時には各部が点滅される。これにより、テラーは、紙幣出金口１４および硬貨出金箱１６に対する発光の状態によって、入金処理時にリジェクト紙幣またはリジェクト硬貨が生じたことを明確に認識できる。よって、リジェクト紙幣およびリジェクト硬貨の取り出しを円滑に進めることができる。
【０１３３】
図９（ｃ）および図１０（ｈ）を参照して説明したとおり、硬貨出金箱１６に外れが生じた場合、硬貨出金箱１６に対する発光状態が、出金処理時と異なる状態に切り替えられる。すなわち、出金時には硬貨出金箱１６が常時発光され、外れ検出時には硬貨出金箱１６が高速点滅される。これにより、テラーは、硬貨出金箱１６に対する発光の状態によって、硬貨出金箱１６の装着状態に不具合が生じていることを明確に認識できる。よって、硬貨出金箱１６を適正な位置まで押し込む対応を円滑に進めることができる。
【０１３４】
図９（ｂ）および図１０（ｇ）を参照して説明したとおり、返却用受け皿１９に異物が収容された場合、返却用受け皿１９が、取引処理の占有側の発光色で高速点滅される。これにより、テラーは、返却用受け皿１９に対する発光状態により、自身の取引処理において異物が返却用受け皿１９に収容されたことを認識できる。よって、テラーは、異物を返却用受け皿１９から取り出して顧客に返却する対応を円滑に進めることができる。
【０１３５】
図１０（ａ）〜（ｈ）に示すように、取引処理が何れのテラーに占有されているかに応じて占有ボタン１８ａ〜１８ｄの発光色が切り替えられる。これにより、テラーは、さらに、占有ボタン１８ａ〜１８ｄの発光色を参照することによっても、取引処理が何れのテラーに占有されている状態にあるかを認識できる。よって、一方のテラーが取り扱うべき貨幣を誤って他方の操作者が取り扱うことをより確実に防止できる。
【０１３６】
本実施形態では、硬貨入金口１３、紙幣出金口１４、紙幣入金口１５および硬貨出金箱１６が、各テラーに対応付けられた２つの上位端末ごとに異なる発光状態で発光される。このため、各テラーは、貨幣収容部に対してアクセスする際に、必ず、この発光を見ることとなり、その発光状態によって、何れの上位端末からの指示により取引処理が行われる状態にあるかを、確実に認識することとなる。これにより、各テラーは、貨幣収容部に対する自身のアクセスが適正であるか否かを、確実に把握できる。よって、一方の操作者が取り扱うべき貨幣を誤って他方の操作者が取り扱うことを、確実に防止することができる。
【０１３７】
＜変更例１＞
上記実施形態では、発光色を切り替えることにより、取引処理を占有するユーザが特定されたが、取引処理を占有するユーザを特定する方法はこれに限られるものではない。
【０１３８】
たとえば、図１１（ａ）、（ｂ）に示すように、発光領域を切り替えることによって、取引処理を占有するユーザが特定されてもよい。
【０１３９】
図１１（ａ）は、左側のテラーが入金処理を占有している場合の紙幣入金口１５の状態を正面側から見た図である。ここでは、複数のＬＥＤ素子４１２のうち、左半分の領域に含まれるＬＥＤ素子４１２のみが点灯され、紙幣入金口１５の左半分の領域のみが発光している。
【０１４０】
図１１（ｂ）は、右側のテラーが入金処理を占有している場合の紙幣入金口１５の状態を正面側から見た図である。ここでは、複数のＬＥＤ素子４１２のうち、右半分の領域に含まれるＬＥＤ素子４１２のみが点灯され、紙幣入金口１５の右半分の領域のみが発光している。
【０１４１】
このように、発光領域を切り替える方法によっても、各テラーは、紙幣入金口１５を見たときに、入金処理が何れのテラーに占有された状態にあるかを認識できる。なお、ここでは、紙幣入金口１５に関する変更例を示したが、紙幣出金口１４、硬貨入金口１３および硬貨出金箱１６についても同様に、発光領域を切り替えることによって、取引処理が何れのテラーに占有された状態にあるかを特定するようにしてもよい。また、発光領域を切り替えるとともに、上記実施形態と同様、取引処理が何れのテラーに占有された状態にあるかに応じて、さらに、発光色を切り替えるようにしてもよい。
【０１４２】
＜変更例２＞
上記実施形態では、取引処理が何れのテラーに占有された状態にあるかに応じて、各部の発光色が切り替えられたが、図１１（ｃ）、（ｄ）に示すように、取引処理が何れのテラーに占有された状態にあるかに応じて、各部の発光周期が切り替えられてもよい。
【０１４３】
図１１（ｃ）は、図８（ａ）に示した入金処理時の発光制御の変更例である。図１１（ｃ）の発光制御では、図８（ａ）のステップＳ１０４がステップＳ１１１に置き換えられている。その他のステップは、図８（ａ）と同様である。
【０１４４】
図１１（ｃ）の発光制御では、ステップＳ１１１において、紙幣入金口１５と硬貨入金口１３が、それぞれ、入金処理を占有するテラー側の周期で発光される。たとえば、左側のテラーが入金処理を占有している場合、１秒周期で発光と非発光が繰り返され、右側のテラーが入金処理を占有している場合、２秒周期で発光と非発光が繰り返される。
【０１４５】
図１１（ｄ）は、図９（ａ）に示した出金処理時の発光制御の変更例である。図１１（ｄ）の発光制御では、図９（ａ）のステップＳ３０６、Ｓ３０７がステップＳ３１１、３１２に置き換えられている。その他のステップは、図９（ａ）と同様である。
【０１４６】
図１１（ｄ）の発光制御では、ステップＳ３１１、Ｓ３１２において、紙幣出金口１４と硬貨出金箱１６が、それぞれ、出金処理を占有するテラー側の周期で発光される。たとえば、左側のテラーが出金処理を占有している場合、１秒周期で発光と非発光が繰り返され、右側のテラーが出金処理を占有している場合、２秒周期で発光と非発光が繰り返される。
【０１４７】
このように発光周期を切り替える方法によっても、各テラーは、各部の発光状態を参照することにより、取引処理が何れのテラーに占有されているかを認識できる。ただし、上記実施形態のように発光色を切り替える方が、取引処理が何れのテラーに占有されているかが、より直感的に認識され得る。
【０１４８】
なお、発光周期は、必ずしも、上記に例示した周期でなくてもよい。たとえば、左側のテラーが取引処理（入金処理、出金処理）を占有している場合は常時発光とし、右側のテラーが取引処理（入金処理、出金処理）を占有している場合に所定周期（たとえば１秒周期）で発光と非発光が繰り返されるようにしてもよい。また、上記のように発光周期を切り替えるとともに、上記実施形態と同様、取引処理が何れのテラーに占有された状態にあるかに応じて、さらに、発光色を切り替えるようにしてもよい。
【０１４９】
＜変更例３＞
上記実施形態では、硬貨入金口１３、紙幣出金口１４、紙幣入金口１５、硬貨出金箱１６および返却用受け皿１９が占有側の発光色で発光する構成であったが、発光位置はこれに限られるものではなく、紙幣出金口１４、紙幣入金口１５、硬貨出金箱１６および返却用受け皿１９をテラーが見たときに、テラーに視認され得る位置であれば、発光位置が他の位置であってもよい。たとえば、硬貨入金口１３、紙幣出金口１４、紙幣入金口１５、硬貨出金箱１６および返却用受け皿１９の周辺部が発光する構成であってもよい。
【０１５０】
図１２（ａ）、（ｂ）は、それぞれ、変更例３に係る、発光配置を模式的に示す図である。図１２（ａ）、（ｂ）では、図１０（ａ）〜（ｈ）と同様、貨幣入出金機１の外装カバー１０ｂの部分が模式的に示されている。図１２（ａ）、（ｂ）においても、外装カバー１０ｂの上面が、外装カバー１０ｂの前面に平行となるように展開されている。
【０１５１】
図１２（ａ）に示すように、変更例３では、硬貨入金口１３を囲むように、４つのランプ部５０１が配置され、紙幣入金口１５を囲むように、６つのランプ部５０２が配置されている。また、返却用受け皿１９を囲むように４つのランプ部５０３が配置され、紙幣出金口１４を囲むように４つのランプ部５０４が配置されている。さらに、硬貨出金箱１６の上下に２つのランプ部５０５が配置されている。
【０１５２】
ランプ部５０１〜５０５は、たとえば、複数のＬＥＤ素子を一列に並べて配置することにより構成され得る。あるいは、ランプ部５０１〜５０５は、１列に並べて配置された複数のＬＥＤ素子を透明または半透明のカバーで覆うようにして構成されてもよい。上記実施形態と同様、各ＬＥＤ素子は、赤色、青色および緑色を発光可能である。
【０１５３】
変更例３の構成では、硬貨入金口１３、紙幣出金口１４、紙幣入金口１５、硬貨出金箱１６および返却用受け皿１９とともに、その周囲のランプ部５０１〜５０５が、取引処理を占有するテラーに応じた発光色で発光する。
【０１５４】
たとえば、左側のテラーが出金処理を占有した状態にある場合、図１２（ｂ）に示すように、紙幣出金口１４のシャッター１４ａが開放された状態で、左側の占有ボタン１８ａ、１８ｃと、紙幣出金口１４および硬貨出金箱１６が左側のテラーに対応する発光色（青色）で発光し、さらに、紙幣出金口１４および硬貨出金箱１６の周囲にそれぞれ配置されたランプ部５０４およびランプ部５０５が左側のテラーに対応する発光色（青色）で発光する。
【０１５５】
変更例３の構成によれば、硬貨入金口１３、紙幣出金口１４、紙幣入金口１５、硬貨出金箱１６および返却用受け皿１９とともに、ランプ部５０１〜５０５が、占有側の発光色で発光するため、各テラーは、より一層明確に、発光を視認する。よって、各テラーは、自身が取引処理を占有するか否かをより明確に認識し、これにより、紙幣出金口１４、紙幣入金口１５、硬貨出金箱１６および返却用受け皿１９に対して誤ってアクセスすることが、より確実に防止され得る。
【０１５６】
なお、変更例３では、ランプ部５０１〜５０５とともに硬貨入金口１３、紙幣出金口１４、紙幣入金口１５、硬貨出金箱１６および返却用受け皿１９が発光する構成であったが、硬貨入金口１３、紙幣出金口１４、紙幣入金口１５、硬貨出金箱１６および返却用受け皿１９は発光せずに、ランプ部５０１〜５０５のみが発光する構成であってもよい。
【０１５７】
また、ランプ部５０１〜５０５の配置形態は、図１２（ａ）の配置形態に限定されるものではなく、硬貨入金口１３、紙幣出金口１４、紙幣入金口１５、硬貨出金箱１６および返却用受け皿１９の周囲の一部にランプ部５０１〜５０５が配置されてもよい。たとえば、硬貨入金口１３、紙幣出金口１４、紙幣入金口１５および返却用受け皿１９の左右の周辺部のみにランプ部５０１〜５０４が配置されてもよい。
【０１５８】
＜変更例４＞
上記実施形態では、硬貨出金箱１６が各テラーに共用されたが、図１３に示すように、左側テラー用の硬貨出金箱１６ｃと右側テラー用の硬貨出金箱１６ｄが個別に配置されてもよい。この場合、各テラー用の硬貨出金箱１６ｃ、１６ｄが、各テラーに対応する発光色で発光してもよい。
【０１５９】
たとえば、右側テラーが硬貨の入金処理を占有した状態にある場合、図１３に示すように、右側の占有ボタン１８ｂ、１８ｄおよび硬貨入金口１３が右側テラーに対応する発光色（緑色）で発光する。そして、硬貨の入金処理においてリジェクト硬貨が生じると、右側の硬貨出金箱１６ｄが、右側テラーに対応する発光色（緑色）で点滅する。
【０１６０】
このように、左側テラー用の硬貨出金箱１６ｃと右側テラー用の硬貨出金箱１６ｄが個別に配置された場合も、各硬貨出金箱１６ｃ、１６ｄを、各テラーに対応する発光色で発光させることにより、各テラーは、自身の取引処理において、自身の側の硬貨出金箱１６ｃ、１６ｄに硬貨が投出されたことを、違和感なく認識でき、取引処理を円滑に進めることができる。
【０１６１】
＜その他の変更例＞
上記実施形態では、硬貨入金口１３、紙幣出金口１４、紙幣入金口１５、硬貨出金箱１６および返却用受け皿１９が占有側の発光色で発光する構成であったが、これらが全て発光しなくてもよく、たとえば、出金処理時にテラーによりアクセスされる紙幣出金口１４および硬貨出金箱１６のみが占有側の発光色で発光する構成であってもよい。
【０１６２】
また、入金処理および出金処理の他、貨幣の計数処理においても、硬貨入金口１３、紙幣出金口１４、紙幣入金口１５、硬貨出金箱１６および返却用受け皿１９のうち、計数処理に係るものが、占有側の発光色で発光する構成であってもよい。
【０１６３】
また、上記実施形態では、紙幣出金口１４および硬貨出金箱１６がリジェクト紙幣およびリジェクト硬貨の収容先として共用されたが、リジェクト紙幣およびリジェクト硬貨をそれぞれ収容する収容部が個別に設けられてもよい。この場合も、これらの収容部またはその周辺部が、占有側の発光色で発光または点滅するように構成されればよい。
【０１６４】
また、上記実施形態では、図１に示すように、上位端末２が通信ケーブル３により貨幣入出金機１に接続されたが、無線通信によって、上位端末２と貨幣入出金機１との間でデータ通信が行われてもよい。
【０１６５】
なお、上記実施形態および変更例１〜４では、紙幣入出金ユニット１１および硬貨入出金ユニット１２を備える貨幣入出金機１が、本発明の貨幣処理装置の一例として挙げられた。しかしながら、本発明は、紙幣入出金ユニット１１のみを備える紙幣入出金機や硬貨入出金ユニット１２のみを備える硬貨入出金機など、その他の貨幣処理装置に適用することも可能である。
【０１６６】
この他、本発明の実施形態は、特許請求の範囲に記載の範囲で適宜変更可能である。
【符号の説明】
【０１６７】
１  貨幣入出金機（貨幣処理装置）
１３  硬貨入金口
１３ｅ  硬貨収容部
１４  紙幣出金口
１４ｂ  紙幣収容部
１５  紙幣入金口
１５ｂ  紙幣収容部
１６  硬貨出金箱
１６ｂ  硬貨収容部
１８  占有ボタン
１９  返却用受け皿
１９ｂ  異物収容部
２１  制御部
２４  発光部
２５  検出部
３３１、４１２、４２２、４３２、４４２、４５２  ＬＥＤ素子
【図１】
2018156329.tif 000003
【図２】
2018156329.tif 000004
【図３】
2018156329.tif 000005
【図４】
2018156329.tif 000006
【図５】
2018156329.tif 000007
【図６】
2018156329.tif 000008
【図７】
2018156329.tif 000009
【図８】
2018156329.tif 000010
【図９】
2018156329.tif 000011
【図１０】
2018156329.tif 000012
【図１１】
2018156329.tif 000013
【図１２】
2018156329.tif 000014
【図１３】
2018156329.tif 000015